(57)【要約】      （修正有）【課題】蓋部分を閉じるだけで、簡単に、かつ、自動的に嵩張ることなく固定できるマグネットロック機構を備えたブック型携帯ケースを提供する。【解決手段】本体部分Ｂと蓋部分Ｃとからなり、本体部分Ｂと蓋部分Ｃがヒンジ部ｈにおいて結合され、本体部分Ｂの開閉部ＢＯに磁石体を内包する長方形板係止材Ｋ２が取り付けてなり、蓋部分Ｃの開閉部ＣＯに磁石体を内包する長方形板係止材Ｋ１が取り付けてなる。磁石体は、それぞれ長方形板係止材Ｋ２、Ｋ１に内包しているＮ極とＳ極の対から構成される長方形板永久磁石であって、長方形板係止材Ｋ２の先端側Ｋ２１に磁石体のＮ極を、長方形板係止材Ｋ２の係止側Ｋ２２に磁石体のＳ極を配してなり、長方形板係止材Ｋ１の先端側Ｋ１１に磁石体のＮ極を、長方形板係止材Ｋ１の係止側Ｋ１２に磁石体のＳ極を配してなる。【選択図】図１
0003192547.tif 000002
【実用新案登録請求の範囲】
【請求項１】
本体部分Ｂと蓋部分Ｃとからなり、本体部分Ｂと蓋部分Ｃがヒンジ部ｈにおいて結合され、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ長方形板係止材Ｋ２、Ｋ１に内包しているＮ極とＳ極の対から構成される長方形板永久磁石であって、
長方形板係止材Ｋ２の先端側Ｋ２１に磁石体Ｍ２のＮ極を、長方形板係止材Ｋ２の係止側Ｋ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていること
を特徴とするマグネットロック機構を備えたブック型携帯ケース１００。
【請求項２】
長方形板係止材Ｋ２の先端側Ｋ２１に磁石体Ｍ２のＳ極を、長方形板係止材Ｋ２の係止側Ｋ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることを特徴とする請求項１に記載されたマグネットロック機構を備えたブック型携帯ケース１００。
【請求項３】
ブック型携帯ケース１００がロックされた際、本体部分Ｂの面と長方形板係止材Ｋ２の面が垂直になるように構成され、蓋部分Ｃの面に長方形板係止材Ｋ１の面が垂直になるように構成されていることを特徴とする請求項１〜２の何れかに記載されたマグネットロック機構を備えたブック型携帯ケース１００。
【請求項４】
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることを特徴とする請求項１〜３の何れかに記載されたマグネットロック機構を備えたブック型携帯ケース１００。
【請求項５】
本体部分Ｂと蓋部分Ｃとからなり、本体部分Ｂと蓋部分Ｃがヒンジ部ｈにおいて結合され、本体部分Ｂの側壁Ｗ２に磁石体Ｍ２を埋設してなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ、本体部分Ｂの側壁Ｗ２、長方形板係止材Ｋ１に埋設又は内包しているＮ極とＳ極の対から構成される長方形板永久磁石であって、
本体部分Ｂの側壁Ｗ２の先端側Ｗ２１に磁石体Ｍ２のＮ極を本体部分Ｂの側壁Ｗ２の本体部分側Ｗ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていること
を特徴とするマグネットロック機構を備えたブック型携帯ケース１００。
【請求項６】
本体部分Ｂの側壁Ｗ２の先端側Ｗ２１に磁石体Ｍ２のＳ極を本体部分Ｂの側壁Ｗ２の本体部分側Ｗ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることを特徴とする請求項５に記載されたマグネットロック機構を備えたブック型携帯ケース１００。
【請求項７】
ブック型携帯ケース１００がロックされた際、本体部分Ｂの面と蓋部分Ｃの面に長方形板係止材Ｋ１の面が垂直になるように構成されていることを特徴とする請求項５〜６の何れかに記載されたマグネットロック機構を備えたブック型携帯ケース１００。
【請求項８】
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることを特徴とする請求項５〜７の何れかに記載されたマグネットロック機構を備えたブック型携帯ケース１００。
【考案の詳細な説明】
【技術分野】
【０００１】
本考案は、マグネットロック機構を備えたブック型携帯ケース１００に関する。
【背景技術】
【０００２】
本体部分と蓋部分とからなり、本体部分と蓋部分がヒンジ部において結合されたブック型携帯ケースのロック機構の従来技術は、ボタン式の留め具や、ベルト差し込み式の留め具で、携帯電話を本体部分に収納した後、蓋部部分を固定していた。
【考案の開示】
【０００３】
しかし、ボタン式の留め具は、ボタンを留める動作が面倒であり、ベルト差し込み式の留め具も、ベルトを差し込むのは面倒であるという欠点があり、
【０００４】
さらに、ボタン式の留め具ベルト差し込み式の留め具も、共に出っ張って嵩張るという欠点があるので、蓋部分を閉じるだけで、簡単に、かつ、自動的に嵩張ることなく固定できるマグネットロック機構を備えたブック型携帯ケースの出現が望まれていた。
【考案の概要】
【考案が解決しようとする課題】
【０００５】
○本考案が解決しようとする第１課題
本考案が解決しようとする第１課題は、蓋部分を閉じるだけで、簡単に、かつ、自動的に嵩張ることなく固定できるマグネットロック機構を備えたブック型携帯ケースを提供することである。
○本考案が解決しようとする第２課題
本考案が解決しようとする第２課題は、蓋部分を閉じるだけで、簡単に、かつ、自動的に嵩張ることなく固定できるとともに、長方形板係止材Ｋ２と長方形板係止材Ｋ１との密着力が大きい、マグネットロック機構を備えたブック型携帯ケースを提供することである。
○本考案が解決しようとする第３課題
本考案が解決しようとする第３課題は、蓋部分を閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることを特徴とするマグネットロック機構を備えたブック型携帯ケースを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
本願請求項５〜８に記載された発明は、本願請求項１〜４に記載された発明において、本体部分Ｂの開閉部ＢＯに磁石体Ｍ２を内包する長方形板係止材Ｋ２が取り付けてなる構成要件の代わりに、本体部分Ｂの側壁Ｗ２に磁石体Ｍ２を埋設してなる構成要件で置き換えた発明であって、本願請求項５に記載された発明は本願請求項１に記載された発明に、本願請求項６に記載された発明は本願請求項２に記載された発明に、本願請求項７に記載された発明は本願請求項３に記載された発明に、本願請求項８に記載された発明は本願請求項４に記載された発明にそれぞれ対応する。
＜用語の説明＞
○本体部分Ｂは、ブック型携帯ケースの構成要素の一つであって、携帯電話Ｐｈを収納するものである。本体部分Ｂは、携帯電話を収納して動かないようにホールドするための１対の側壁Ｗ１、側壁Ｗ２を有しており、携帯電話Ｐｈの表示部を見るための開口部Ｗを有している。
○蓋部分Ｃは、ブック型携帯ケースの構成要素の一つであって、携帯電話を収納したり、取り出したりするために開閉するためのものである。
○ヒンジ部分ｈは、本体部分Ｂと蓋部分Ｃをヒンジ構造でフレクシブルに結合するものであり、本に例えれば、背表紙に相当するものである。
○ブック型携帯ケース１００は、携帯電話を収納するケースである。ブック型携帯ケース１００には、水平方向に開く横開きブック型携帯ケースと垂直方向に開く縦開き携帯ケースがある。
ここに、ブック型携帯ケース１００の大きさを、横長さＬ×縦長さＨで表示することにする（横長さＬの寸法より、縦長さＨの寸法の方が長い）。
横開きブック型携帯ケースは、蓋部分Ｃと本体部分Ｂの縦長さＨの方をヒンジｈで結合されてなり、水平方向に開閉するものであるが、
縦開きブック型携帯ケースは、蓋部分Ｃと本体部分Ｂの横長さＬの方をヒンジｈで結合されてなり、垂直方向に開閉するものである。
本願発明におけるブック型携帯ケース１００は、横開きブック型携帯ケースと縦開き携帯ケースの両方を含む。
○本体部分Ｂの開閉部ＢＯとは、本体部分Ｂのヒンジ部ｈの反対部をいう。携帯電話Ｐｈを本体部分Ｂに収納した後に、蓋部分Ｃを閉じて、マグネットロックさせるための構成要素である。
○磁石体Ｍ２、Ｍ１とは、それぞれ長方形板係止材Ｋ２、Ｋ１に内包しているＮ極とＳ極の対から構成される長方形板永久磁石である。
○長方形板係止材Ｋ２は、本体部分Ｂと蓋部分Ｃをマグネットロックするための一方の部材であって、本体部分Ｂの開閉部ＢＯに取り付けてなる。
○長方形板係止材Ｋ１は、本体部分Ｂと蓋部分Ｃをマグネットロックするための他方の部材であって、蓋部分Ｃの開閉部ＣＯに取り付けてなる。
○ブック型携帯ケース１００とは、本体部分Ｂと蓋部分Ｃと、本体部分Ｂと蓋部分Ｃがヒンジ部ｈ、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるものである。
○長方形板係止材Ｋ２の先端側Ｋ２１とは、長方形板係止材Ｋ２が本体部分Ｂに取り付けられている側の反対側をいう。
○長方形板係止材Ｋ２の係止側Ｋ２２とは、長方形板係止材Ｋ２が本体部分Ｂに取り付けられている側をいう。
○長方形板係止材Ｋ１の先端側Ｋ１１とは、長方形板係止材Ｋ１が蓋部分Ｃに取り付けられている側の反対側をいう。
○長方形板係止材Ｋ１の係止側Ｋ１２とは、長方形板係止材Ｋ１が蓋部分Ｃに取り付けられている側をいう。
○マグネットロック機構とは、携帯電話Ｐｈを本体部分Ｂに収納した後に、蓋部分Ｃを閉じて、マグネットロックさせるための機構をいう。
○長方形板係止材Ｋ２と長方形板係止材Ｋ１との密着力が大きくなる機構とは、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されている機構のことをいう。
（１）長方形板係止材Ｋ２と長方形板係止材Ｋ１との密着力が大きくなる機構（請求項１記載考案）とは、具体的には、
蓋部分Ｃを閉じる際には、長方形板係止材Ｋ２の先端部の磁石体Ｍ２のＮ極と長方形板係止材Ｋ１の先端部の磁石体Ｍ１のＮ極とは反発するので、長方形板係止材Ｋ２の先端部と長方形板係止材Ｋ１の先端部同士は反発して吸着しないが、
長方形板係止材Ｋ２の先端部の磁石体Ｍ２のＮ極が、長方形板係止材Ｋ１の係止部のＳ極に、近づけば、長方形板係止材Ｋ２の先端部の磁石体Ｍ２のＮ極と長方形板係止材Ｋ１の係止部のＳ極は吸引することになり、同時に、長方形板係止材Ｋ２の係止部の磁石体Ｍ２のＳ極と長方形板係止材Ｋ１の先端部のＮ極は吸引することになり、
磁石体Ｍ２のＮ極と磁石体Ｍ１のＳ極、磁石体Ｍ２のＳ極と磁石体Ｍ１のＮ極が、２か所で２か所でお互いに吸着するように構成されている機構のことをいう。
上記のような構成により、蓋部分Ｃを閉じる際には、長方形板係止材Ｋ２の先端部の磁石体Ｍ２のＮ極と長方形板係止材Ｋ２の先端部の磁石体Ｍ１のＮ極とは反発するので、長方形板係止材Ｋ２の先端部と長方形板係止材Ｋ１の先端部同士が密着が不十分なまま吸着することはないという特徴を有する。
（２）長方形板係止材Ｋ２と長方形板係止材Ｋ１との密着力が大きくなる機構（請求項２記載考案）とは、具体的には、
蓋部分Ｃを閉じる際には、長方形板係止材Ｋ２の先端部の磁石体Ｍ２のＳ極と長方形板係止材Ｋ２の先端部の磁石体Ｍ１のＳ極とは反発するので、長方形板係止材Ｋ２の先端部と長方形板係止材Ｋ２の先端部同士は反発して吸着しないが、
長方形板係止材Ｋ２の先端部の磁石体Ｍ２のＳ極が、長方形板係止材Ｋ１の係止部のＮ極に、近づけば、長方形板係止材Ｋ２の先端部の磁石体Ｍ２のＳ極と長方形板係止材Ｋ１の係止部のＮ極は吸引することになり、同時に、長方形板係止材Ｋ２の係止部の磁石体Ｍ２のＮ極と長方形板係止材Ｋ１の先端部のＳ極は吸引することになり、近づけばお互いに吸着するようになり、
磁石体Ｍ２のＳ極と磁石体Ｍ１のＮ極、磁石体Ｍ２のＮ極と磁石体Ｍ１のＳ極が、２か所でお互いに吸着するように構成されている機構のことをいう。
上記のような構成により、蓋部分Ｃを閉じる際には、長方形板係止材Ｋ２の先端部の磁石体Ｍ２のＳ極と長方形板係止材Ｋ２の先端部の磁石体Ｍ１のＳ極とは反発するので、長方形板係止材Ｋ２の先端部と長方形板係止材Ｋ１の先端部同士が密着が不十分なまま吸着することはないという特徴を有する。
○吸着する際にカチッと音がしてロックされたことを知らせる機構（請求項１記載考案）とは、
蓋部分Ｃを閉じる際において、長方形板係止材Ｋ２の先端部の磁石体Ｍ２のＮ極と長方形板係止材Ｋ２の先端部の磁石体Ｍ１のＮ極とは反発するので、長方形板係止材Ｋ２の先端部と長方形板係止材Ｋ１の先端部同士は吸着することなく磁気浮遊した状態になるが、長方形板係止材Ｋ２の先端部の磁石体Ｍ２のＮ極が、長方形板係止材Ｋ１の係止部のＳ極に、蓋部分Ｃを閉じるに従って近づけば、長方形板係止材Ｋ２の先端部の磁石体Ｍ２のＮ極と長方形板係止材Ｋ１の係止部のＳ極は急に吸引することになり、同時に、長方形板係止材Ｋ２の係止部の磁石体Ｍ２のＳ極と長方形板係止材Ｋ１の先端部のＮ極も急に吸引することになり、吸着打撃によりカチッと音がしてロックされたことを知らせる機構をいう。
○吸着する際にカチッと音がしてロックされたことを知らせる機構（請求項２記載考案）とは、
蓋部分Ｃを閉じる際において、長方形板係止材Ｋ２の先端部の磁石体Ｍ２のＳ極と長方形板係止材Ｋ２の先端部の磁石体Ｍ１のＳ極とは反発するので、長方形板係止材Ｋ２の先端部と長方形板係止材Ｋ１の先端部同士は吸着することなく磁気浮遊した状態になるが、長方形板係止材Ｋ２の先端部の磁石体Ｍ２のＳ極が、長方形板係止材Ｋ１の係止部のＮ極に、蓋部分Ｃを閉じるに従って近づけば、長方形板係止材Ｋ２の先端部の磁石体Ｍ２のＳ極と長方形板係止材Ｋ１の係止部のＮ極は急に吸引することになり、同時に、長方形板係止材Ｋ２の係止部の磁石体Ｍ２のＮ極と長方形板係止材Ｋ１の先端部のＳ極も急に吸引することになり、吸着打撃によりカチッと音がしてロックされたことを知らせる機構をいう。
＊＊＊＊＊＊＊＊＊＊＊＊＊＊＊＊＊＊＊＊＊＊＊＊＊＊＊＊＊＊＊＊＊＊＊
○サフィックス１は、本体部分Ｂの属性、あるいは、長方形板係止材Ｋ２、Ｋ１の先端部を表す。
○サフィックス２は、蓋部分Ｂの属性、あるいは、長方形板係止材Ｋ２、Ｋ１の係止部を表す。
＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、本体部分Ｂと蓋部分Ｃとからなり、本体部分Ｂと蓋部分Ｃがヒンジ部ｈにおいて結合され、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ長方形板係止材Ｋ２、Ｋ１に内包しているＮ極とＳ極の対から構成される長方形板永久磁石であって、
長方形板係止材Ｋ２の先端側Ｋ２１に磁石体Ｍ２のＮ極を、長方形板係止材Ｋ２の係止側Ｋ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていること
を特徴とするマグネットロック機構を備えたブック型携帯ケース１００である。
○第２の考案（請求項２に記載の考案）
上記の課題を解決するための第２の考案（請求項２に記載の考案）は、長方形板係止材Ｋ２の先端側Ｋ２１に磁石体Ｍ２のＳ極を、長方形板係止材Ｋ２の係止側Ｋ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることを特徴とする請求項１に記載されたマグネットロック機構を備えたブック型携帯ケース１００である。
○第３の考案（請求項３に記載の考案）
上記の課題を解決するための第３の考案（請求項３に記載の考案）は、ブック型携帯ケース１００がロックされた際、本体部分Ｂの面と長方形板係止材Ｋ２の面が垂直になるように構成され、蓋部分Ｃの面に長方形板係止材Ｋ１の面が垂直になるように構成されていることを特徴とする請求項１〜２に記載されたマグネットロック機構を備えたブック型携帯ケース１００である。
○第４の考案（請求項４に記載の考案）
上記の課題を解決するための第４の考案（請求項４に記載の考案）は、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることを特徴とする請求項１〜３の何れかに記載されたマグネットロック機構を備えたブック型携帯ケース１００である。
○第５の考案（請求項５に記載の考案）
上記の課題を解決するための第５の考案（請求項５に記載の考案）は、本体部分Ｂと蓋部分Ｃとからなり、本体部分Ｂと蓋部分Ｃがヒンジ部ｈにおいて結合され、本体部分Ｂの側壁Ｗ２に磁石体Ｍ２を埋設してなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ、本体部分Ｂの側壁Ｗ２、長方形板係止材Ｋ１に埋設又は内包しているＮ極とＳ極の対から構成される長方形板永久磁石であって、
本体部分Ｂの側壁Ｗ２の先端側Ｗ２１に磁石体Ｍ２のＮ極を本体部分Ｂの側壁Ｗ２の本体部分側Ｗ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていることを特徴とするマグネットロック機構を備えたブック型携帯ケース１００である。
○第６の考案（請求項６に記載の考案）
上記の課題を解決するための第６の考案（請求項６に記載の考案）は、本体部分Ｂの側壁Ｗ２の先端側Ｗ２１に磁石体Ｍ２のＳ極を本体部分Ｂの側壁Ｗ２の本体部分側Ｗ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることを特徴とする請求項５に記載されたマグネットロック機構を備えたブック型携帯ケース１００である。
○第７の考案（請求項７に記載の考案）
上記の課題を解決するための第７の考案（請求項７に記載の考案）は、ブック型携帯ケース１００がロックされた際、本体部分Ｂの面と蓋部分Ｃの面に長方形板係止材Ｋ１の面が垂直になるように構成されていることを特徴とする請求項５〜６の何れかに記載されたマグネットロック機構を備えたブック型携帯ケース１００である。
○第８の考案（請求項８に記載の考案）
上記の課題を解決するための第８の考案（請求項８に記載の考案）は、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることを特徴とする請求項５〜７の何れかに記載されたマグネットロック機構を備えたブック型携帯ケース１００である。
【考案の効果】
【０００７】
本考案に係る、マグネットロック機構を備えたブック型携帯ケース１００は、上記のような特徴的構成要件から構成され、特徴的構成要件に応じた、以下のような本願考案特有の効果を奏する。
また、上記の各考案に応じた、上記のような特徴的構成要件から構成されたマグネットロック機構を備えたブック型携帯ケース１００によれば、本願考案の課題を十分解消することができた。
○第１の考案の効果
第１の考案によれば、本体部分Ｂと蓋部分Ｃとからなり、本体部分Ｂと蓋部分Ｃがヒンジ部ｈにおいて結合され、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ長方形板係止材Ｋ２、Ｋ１に内包しているＮ極とＳ極の対から構成される長方形板永久磁石であって、
長方形板係止材Ｋ２の先端側Ｋ２１に磁石体Ｍ２のＮ極を、長方形板係止材Ｋ２の係止側Ｋ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていること
という特徴的な構成要件により、本考案が解決しようとする第１課題〜第２課題を達成することができ、当業者予測不可能な顕著な効果を奏することができた。
○第２の考案の効果
第２の考案によれば、長方形板係止材Ｋ２の先端側Ｋ２１に磁石体Ｍ２のＳ極を、長方形板係止材Ｋ２の係止側Ｋ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることという特徴的な構成要件により、本考案が解決しようとする第１課題〜第２課題を達成することができ、当業者予測不可能な顕著な効果を奏することができた。
○第３の考案の効果
第３の考案によれば、ブック型携帯ケース１００がロックされた際、本体部分Ｂの面と長方形板係止材Ｋ２の面が垂直になるように構成され、蓋部分Ｃの面に長方形板係止材Ｋ１の面が垂直になるように構成されているという特徴的な構成要件により、本考案が解決しようとする第１課題〜第２課題を達成することができ、当業者予測不可能な顕著な効果を奏することができた。
○第４の考案の効果
第４の考案によれば、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることという特徴的な構成要件により、本考案が解決しようとする第１課題〜第３課題を達成することができ、当業者予測不可能な顕著な効果を奏することができた。
具体的には、上述の○吸着する際にカチッと音がしてロックされたことを知らせる機構（請求項１記載考案）、又は、○吸着する際にカチッと音がしてロックされたことを知らせる機構（請求項２記載考案）により、吸着する際にカチッと音がしてロックされたことを知らせるという当業者予測不可能な顕著な効果を奏することができた。
○第５の考案の効果
第５の考案によれば、本体部分Ｂと蓋部分Ｃとからなり、本体部分Ｂと蓋部分Ｃがヒンジ部ｈにおいて結合され、本体部分Ｂの側壁Ｗ２に磁石体Ｍ２を埋設してなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ、本体部分Ｂの側壁Ｗ２、長方形板係止材Ｋ１に埋設又は内包しているＮ極とＳ極の対から構成される長方形板永久磁石であって、
本体部分Ｂの側壁Ｗ２の先端側Ｗ２１に磁石体Ｍ２のＮ極を本体部分Ｂの側壁Ｗ２の本体部分側Ｗ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていることという特徴的な構成要件により、本考案が解決しようとする第１課題〜第２課題を達成することができ、当業者予測不可能な顕著な効果を奏することができた。
○第６の考案の効果
第６の考案によれば、本体部分Ｂの側壁Ｗ２の先端側Ｗ２１に磁石体Ｍ２のＳ極を本体部分Ｂの側壁Ｗ２の本体部分側Ｗ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることという特徴的な構成要件により、本考案が解決しようとする第１課題〜第２課題を達成することができ、当業者予測不可能な顕著な効果を奏することができた。
○第７の考案の効果
第７の考案によれば、ブック型携帯ケース１００がロックされた際、本体部分Ｂの面と蓋部分Ｃの面に長方形板係止材Ｋ１の面が垂直になるように構成されていることという特徴的な構成要件により、本考案が解決しようとする第１課題〜第２課題を達成することができ、当業者予測不可能な顕著な効果を奏することができた。
○第８の考案の効果
第８の考案によれば、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせる蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることという特徴的な構成要件により、本考案が解決しようとする第１課題〜第２課題を達成することができ、当業者予測不可能な顕著な効果を奏することができた。
具体的には、上述の○吸着する際にカチッと音がしてロックされたことを知らせる機構（請求項５記載考案）、又は、○吸着する際にカチッと音がしてロックされたことを知らせる機構（請求項６記載考案）により、吸着する際にカチッと音がしてロックされたことを知らせるという当業者予測不可能な顕著な効果を奏することができた。
【考案を実施するための最良の形態】
【０００８】
以下、本考案に係る、マグネットロック機構を備えたブック型携帯ケース１００に関する最良の実施形態について、図面を参照しながら説明する。
図１は、本考案に係る、マグネットロック機構を備えたブック型携帯ケース１００の斜視図である。
図２は、本考案に係る、マグネットロック機構を備えたブック型携帯ケース１００が開いた状態から閉じる状態へ移行する状態を示す図（正面図）である。
図３は、磁石体Ｍ２、Ｍ１、及び、長方形板係止材Ｋ２、Ｋ１の拡大正面図である。
図３（ａ）は、請求項１記載考案の磁石体Ｍ２、Ｍ１、及び、長方形板係止材Ｋ２、Ｋ１の拡大正面図であり、図３（ｂ）は、請求項２記載考案の磁石体Ｍ２、Ｍ１、及び、長方形板係止材Ｋ２、Ｋ１の拡大正面図である。
図４は、磁石体Ｍ２、Ｍ１、及び、長方形板係止材Ｋ２、Ｋ１の拡大平面図である。
図４（ａ）は、請求項１記載考案の磁石体Ｍ２、Ｍ１、及び、長方形板係止材Ｋ２、Ｋ１の拡大平面図であり、図４（ｂ）は、請求項２記載考案の磁石体Ｍ２、Ｍ１、及び、長方形板係止材Ｋ２、Ｋ１の拡大平面図である。
図５は、磁石体Ｍ２、Ｍ１、及び、側壁Ｗ２と長方形板係止材Ｋ１の拡大正面図である。
図５（ａ）は、請求項５記載考案の磁石体Ｍ２、Ｍ１、及び、側壁Ｗ２と長方形板係止材Ｋ１の拡大正面図であり、図５（ｂ）は、請求項６記載考案の磁石体Ｍ２、Ｍ１、及び、側壁Ｗ２と長方形板係止材Ｋ１の拡大正面図である。
図６は、磁石体Ｍ２、Ｍ１、及び、側壁Ｗ２と長方形板係止材Ｋ１の拡大平面図である。
図６（ａ）は、請求項５記載考案の磁石体Ｍ２、Ｍ１、及び、側壁Ｗ２と長方形板係止材Ｋ１の拡大平面図であり、図６（ｂ）は、請求項６記載考案の磁石体Ｍ２、Ｍ１、及び、側壁Ｗ２と長方形板係止材Ｋ１の拡大平面図である。
以下、本考案に係る、マグネットロック機構を備えたブック型携帯ケース１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、本体部分Ｂと蓋部分Ｃとからなり、本体部分Ｂと蓋部分Ｃがヒンジ部ｈにおいて結合され、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ長方形板係止材Ｋ２、Ｋ１に内包しているＮ極とＳ極の対から構成される長方形板永久磁石であって、
長方形板係止材Ｋ２の先端側Ｋ２１に磁石体Ｍ２のＮ極を、長方形板係止材Ｋ２の係止側Ｋ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていること
を特徴とするマグネットロック機構を備えたブック型携帯ケース１００が開示されている（図１、図２、図３、図４を参照）。
●第１の考案の効果
第１の考案によれば、本体部分Ｂと蓋部分Ｃとからなり、本体部分Ｂと蓋部分Ｃがヒンジ部ｈにおいて結合され、本体部分Ｂの開閉部ＢＯに磁石体Ｍ２を内包する長方形板係止材Ｋ２が取り付けてなり、蓋部分Ｃの開閉部ＣＯに磁石体Ｍ１を内包する長方形板係止材Ｋ１が取り付けてなるブック型携帯ケース１００において、
長方形板係止材Ｋ２の先端側Ｋ２１に磁石体Ｍ２のＮ極を、長方形板係止材Ｋ２の係止側Ｋ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていること
という特徴的な構成要件により、本考案が解決しようとする第１課題〜第２課題を達成することができ、当業者予測不可能な顕著な効果を奏することができた（図１、図２、図３、図４を参照）。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、長方形板係止材Ｋ２の先端側Ｋ２１に磁石体Ｍ２のＳ極を、長方形板係止材Ｋ２の係止側Ｋ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることを特徴とする請求項１に記載されたマグネットロック機構を備えたブック型携帯ケース１００が開示されている（図１、図２、図３、図４を参照）。
●第２の考案の効果
第２の考案によれば、長方形板係止材Ｋ２の先端側Ｋ２１に磁石体Ｍ２のＳ極を、長方形板係止材Ｋ２の係止側Ｋ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることという特徴的な構成要件により、本考案が解決しようとする第１課題〜第２課題を達成することができ、当業者予測不可能な顕著な効果を奏することができた（図１、図２、図３、図４を参照）。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、ブック型携帯ケース１００がロックされた際、本体部分Ｂの面と長方形板係止材Ｋ２の面が垂直になるように構成され、蓋の面に長方形板係止材Ｋ２が垂直になるように構成されていることを特徴とする請求項１〜２の何れかに記載されたマグネットロック機構を備えたブック型携帯ケース１００が開示されている（図１、図２、図３、図４を参照）。
●第３の考案によれば、ブック型携帯ケース１００がロックされた際、本体部分Ｂの面と長方形板係止材Ｋ２の面が垂直になるように構成され、蓋部分Ｃの面に長方形板係止材Ｋ１の面が垂直になるように構成されているという特徴的な構成要件により、本考案が解決しようとする第１課題〜第２課題を達成することができ、当業者予測不可能な顕著な効果を奏することができた（図１、図２、図３、図４を参照）。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることを特徴とする請求項１〜３の何れかに記載されたマグネットロック機構を備えたブック型携帯ケース１００が開示されている（図１、図２、図３、図４を参照）。
●第４の考案によれば、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることという特徴的な構成要件により、本考案が解決しようとする第１課題〜第３課題を達成することができ、当業者予測不可能な顕著な効果を奏することができた（図１、図２、図３、図４を参照）。
さらに、カチッという音を確実に出すようにするために、磁石体Ｍ２、Ｍ１を内包する長方形板係止材Ｋ２、Ｋ１の打撃面を金属製、あるいは、硬質プラスチック製の材料を用いるのが望ましい。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
●第５の考案によれば、本体部分Ｂと蓋部分Ｃとからなり、  第５の考案によれば、本体部分Ｂと蓋部分Ｃとからなり、本体部分Ｂと蓋部分Ｃがヒンジ部ｈにおいて結合され、本体部分Ｂの側壁Ｗ２に磁石体Ｍ２を埋設してなり、蓋部分Ｃの開閉部ＣＯに磁石体Ｍ１を内包する長方形板係止材Ｋ１が取り付けてなるブック型携帯ケース１００において、
磁石体Ｍ２、Ｍ１は、それぞれ、本体部分Ｂの側壁Ｗ２、長方形板係止材Ｋ１に埋設又は内包しているＮ極とＳ極の対から構成される長方形板永久磁石であって、
本体部分Ｂの側壁Ｗ２の先端側Ｗ２１に磁石体Ｍ２のＮ極を本体部分Ｂの側壁Ｗ２の本体部分側Ｗ２２に磁石体Ｍ２のＳ極を配してなり、長方形板係止材Ｋ１の先端側Ｋ１１に磁石体Ｍ１のＮ極を、長方形板係止材Ｋ１の係止側Ｋ１２に磁石体Ｍ２のＳ極を配してなり、
蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されていること
という特徴的な構成要件により、本考案が解決しようとする第１課題〜第２課題を達成することができ、当業者予測不可能な顕著な効果を奏することができた（図１、図２、図５、図６を参照）。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、
本体部分Ｂの側壁Ｗ２の先端側Ｗ２１に磁石体Ｍ２のＳ極を本体部分Ｂの側壁Ｗ２の本体部分側Ｗ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることを特徴とする請求項５に記載されたマグネットロック機構を備えたブック型携帯ケース１００が開示されている（図１、図２、図５、図６を参照）。
●第６の考案によれば、本体部分Ｂの側壁Ｗ２の先端側Ｗ２１に磁石体Ｍ２のＳ極を本体部分Ｂの側壁Ｗ２の本体部分側Ｗ２２に磁石体Ｍ２のＮ極を配してなり、長方形板係止材Ｋ１の先端側Ｋ１１に磁石体Ｍ１のＳ極を、長方形板係止材Ｋ１の係止側Ｋ１２に磁石体Ｍ２のＮ極を配してなり、
蓋部分Ｃを閉じる際には、磁石体Ｍ２のＳ極と磁石体Ｍ１のＮ極、磁石体Ｍ２のＮ極と磁石体Ｍ１のＳ極が、２か所でお互いに吸着するように構成されていることという特徴的な構成要件により、本考案が解決しようとする第１課題〜第２課題を達成することができ、当業者予測不可能な顕著な効果を奏することができた（図１、図２、図５、図６を参照）。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、ブック型携帯ケース１００がロックされた際、本体部分Ｂの面と蓋部分Ｃの面に長方形板係止材Ｋ１の面が垂直になるように構成されていることを特徴とする請求項５〜６の何れかに記載されたマグネットロック機構を備えたブック型携帯ケース１００が開示されている（図１、図２、図５、図６を参照）。
●第７の考案によれば、ブック型携帯ケース１００がロックされた際、蓋部分Ｃの面に長方形板係止材Ｋ１の面が垂直になるように構成されているという特徴的な構成要件により、本考案が解決しようとする第１課題〜第２課題を達成することができ、当業者予測不可能な顕著な効果を奏することができた（図１、図２、図５、図６を参照）。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネットロック機構を備えたブック型携帯ケース１００において、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせることを特徴とする請求項５〜７の何れかに記載されたマグネットロック機構を備えたブック型携帯ケース１００が開示されている（図１、図２、図３、図４を参照）。
●第８の考案によれば、蓋部分Ｃを閉じる際には、磁石体Ｍ２のＮ極と磁石体Ｍ１のＳ極、磁石体Ｍ２のＳ極と磁石体Ｍ１のＮ極が、２か所でお互いに吸着するように構成されており、吸着する際にカチッと音がしてロックされたことを知らせるこという特徴的な構成要件により、本考案が解決しようとする第１課題〜第３課題を達成することができ、当業者予測不可能な顕著な効果を奏することができた（図１、図２、図５、図６を参照）。
さらに、カチッという音を確実に出すようにするために、磁石体Ｍ２、Ｍ１を内包する側壁Ｗ２、長方形板係止材Ｋ１の打撃面を金属製、あるいは、硬質プラスチック製の材料を用いるのが望ましい。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【図面の簡単な説明】
【０００９】
【図１】図１は、本考案に係る、マグネットロック機構を備えたブック型携帯ケース１００の斜視図である。
【図２】図２は、本考案に係る、マグネットロック機構を備えたブック型携帯ケース１００が開いた状態から閉じる状態へ移行する状態を示す図（正面図）である。
【図３】図３は、磁石体Ｍ２、Ｍ１、及び、長方形板係止材Ｋ２、Ｋ１の拡大正面図である。  図３（ａ）は、請求項１記載考案の磁石体Ｍ２、Ｍ１、及び、長方形板係止材Ｋ２、Ｋ１の拡大正面図であり、図３（ｂ）は、請求項２記載考案の磁石体Ｍ２、Ｍ１、及び、長方形板係止材Ｋ２、Ｋ１の拡大正面図である。
【図４】図４は、磁石体Ｍ２、Ｍ１、及び、長方形板係止材Ｋ２、Ｋ１の拡大平面図である。  図４（ａ）は、請求項１記載考案の磁石体Ｍ２、Ｍ１、及び、長方形板係止材Ｋ２、Ｋ１の拡大平面図であり、図４（ｂ）は、請求項２記載考案の磁石体Ｍ２、Ｍ１、及び、長方形板係止材Ｋ２、Ｋ１の拡大平面図である。
【図５】図５は、磁石体Ｍ２、Ｍ１、及び、側壁Ｗ２と長方形板係止材Ｋ１の拡大正面図である。  図５（ａ）は、請求項５記載考案の磁石体Ｍ２、Ｍ１、及び、側壁Ｗ２と長方形板係止材Ｋ１の拡大正面図であり、図５（ｂ）は、請求項６記載考案の磁石体Ｍ２、Ｍ１、及び、側壁Ｗ２と長方形板係止材Ｋ１の拡大正面図である。
【図６】図６は、磁石体Ｍ２、Ｍ１、及び、側壁Ｗ２と長方形板係止材Ｋ１の拡大平面図である。  図６（ａ）は、請求項５記載考案の磁石体Ｍ２、Ｍ１、及び、側壁Ｗ２と長方形板係止材Ｋ１の拡大平面図であり、図６（ｂ）は、請求項６記載考案の磁石体Ｍ２、Ｍ１、及び、側壁Ｗ２と長方形板係止材Ｋ１の拡大平面図である。
【符号の説明】
【００１０】
Ｂ……本体部分
Ｃ……蓋部分
ｈ……ヒンジ部
ＢＯ……本体部分Ｂの開閉部
ＣＯ……蓋部分Ｂの開閉部
Ｍ２、Ｍ１……磁石体
Ｋ２、Ｋ１……長方形板係止材
１００……ブック型携帯ケース
Ｋ２１……長方形板係止材Ｋ２の先端側
Ｋ２２……長方形板係止材Ｋ２の係止側
Ｋ１１……長方形板係止材Ｋ１の先端側
Ｋ１２……長方形板係止材Ｋ１の係止側
Ｐｈ……携帯電話
Ｗ１、Ｗ２……側壁
Ｗ……窓
【図１】
0003192547.tif 000003
【図２】
0003192547.tif 000004
【図３】
0003192547.tif 000005
【図４】
0003192547.tif 000006
【図５】
0003192547.tif 000007
【図６】
0003192547.tif 000008